(57)【要約】【課題】利便性を向上できる洗車機を提供する。【解決手段】被洗浄車両ＣＡに対して前後方向に相対移動させながら被洗浄車両ＣＡの洗車を行う洗車機本体１と、洗車機本体１に対する被洗浄車両ＣＡの進入経路Ｓ上に沿って配されて洗車条件を設定するリモートパネル４０とを有した洗車機ＷＡにおいて、リモートパネル４０の前面に凹設されるとともに所定情報を格納した識別コードの被読取媒体Ｋが挿入される凹部５０と、凹部５０の周壁上に設けられて識別コードＱを読み取る読取部５３とを備えたことを特徴とする。【選択図】図４
2015113009.tif 000002
【特許請求の範囲】
【請求項１】
被洗浄車両に対して前後方向に相対移動させながら被洗浄車両の洗車を行う洗車機本体と、前記洗車機本体に対する被洗浄車両の進入経路上に沿って配されて洗車条件を設定するリモートパネルとを有した洗車機において、
前記リモートパネルの前面に凹設されるとともに所定情報を格納した識別コードの被読取媒体が挿入される凹部と、前記凹部の周壁に設けられて前記凹部内に臨むとともに前記識別コードを読み取る読取部とを備えたことを特徴とする洗車機。
【請求項２】
前記凹部の奥壁に設定操作を行うタッチパネルが設けられることを特徴とする請求項１に記載の洗車機。
【請求項３】
前記タッチパネルが下方を前方に傾斜し、前記読取部が前記凹部の天井壁に配されることを特徴とする請求項２に記載の洗車機。
【請求項４】
前記読取部による前記識別コードの読み取りの待機状態の時に、前記読取部に対向する読取位置に前記被読取媒体を案内する案内画像を前記タッチパネルに表示したことを特徴とする請求項２又は３に記載の洗車機。
【請求項５】
前記凹部に挿入される被読取媒体を監視して前記タッチパネル上に画像を表示するカメラを備え、前記タッチパネルの表示画面上に前記カメラの監視画像に重ねて前記読取部による読取領域を表示したことを特徴とする請求項２〜４のいずれかに記載の洗車機。
【請求項６】
前記読取部を配した前記周壁上に緩衝材を設けたことを特徴とする請求項１〜５のいずれかに記載の洗車機。
【請求項７】
前記読取部の前方に洗車条件に必要な操作部材又は報知部材を配したことを特徴とする請求項１〜６のいずれかに記載の洗車機。
【発明の詳細な説明】
【技術分野】
【０００１】
本発明は、リモートパネルを備えた洗車機に関する。
【背景技術】
【０００２】
給油所等に設置される従来の洗車機は特許文献１に開示される。この洗車機は洗車機本体及びリモートパネルを備えている。
【０００３】
洗車機本体は門型に形成され、被洗浄車両を跨いで前後方向に移動する。洗車機本体の上部や側部には回転ブラシや空気を送出するブロアが設けられる。回転ブラシはモータにより回転し、洗車時に被洗浄車両に沿って摺動して洗浄する。ブロアは回転ブラシによる洗浄後に空気を送出して被洗浄車両を乾燥させる。
【０００４】
リモートパネルは被洗浄車両の進入経路上に設置され、操作部及び読取部を備えている。操作部は複数の設定ボタンを有し、ユーザが設定ボタンを操作することにより所望の洗車条件を設定する。読取部はリモートパネルの前面に配されて水平方向に投光し、携帯電話等の表示部に表示される識別コード（ＱＲコード（登録商標））を読取部により読み取る。識別コードには洗車条件や洗車料金の割引情報等が格納されている。
【０００５】
上記構成の洗車機において、ユーザがリモートパネルの面前に停止して洗車条件を入力する。この時、携帯電話の表示部を読取部に対向させ、識別コードを読取部に読み取らせる。その後、洗車機本体は被洗浄車両に対して前後方向に移動し、被洗浄車両の洗浄及び乾燥を行う。
【先行技術文献】
【特許文献】
【０００６】
【特許文献１】特開２０１２−１６６６４８号公報
【発明の概要】
【発明が解決しようとする課題】
【０００７】
しかしながら、上記従来の洗車機によると、識別コードを読取部に読み取らせる際に表示部を鉛直に配して携帯電話を持つ必要があり、誤って手を滑られて携帯電話を落としてしまう虞がある。また、読取部から水平方向に投光した光がユーザの目に光が入り、ユーザに煩わしさを感じさせる。さらに、太陽光が携帯電話の表示部に入り込み、識別コードが読み取れない場合がある。これにより、洗車機の利便性が悪くなるという問題があった。
【０００８】
本発明は、利便性を向上できる洗車機を提供することを目的とする。
【課題を解決するための手段】
【０００９】
上記目的を達成するために本発明は、被洗浄車両に対して前後方向に相対移動させながら被洗浄車両の洗車を行う洗車機本体と、前記洗車機本体に対する被洗浄車両の進入経路上に沿って配されて洗車条件を設定するリモートパネルとを有した洗車機において、前記リモートパネルの前面に凹設されるとともに所定情報を格納した識別コードの被読取媒体が挿入される凹部と、前記凹部の周壁に設けられて前記凹部内に臨むとともに前記識別コードを読み取る読取部とを備えたことを特徴とする。
【００１０】
また、本発明は上記構成の洗車機において、前記凹部の奥壁に設定操作を行うタッチパネルが設けられることを特徴とする。
【００１１】
また、本発明は上記構成の洗車機において、前記タッチパネルが下方を前方に傾斜し、前記読取部が前記凹部の天井壁に配されることを特徴とする。
【００１２】
また、本発明は上記構成の洗車機において、前記読取部による前記識別コードの読み取りの待機状態の時に、前記読取部に対向する読取位置に前記被読取媒体を案内する案内画像を前記タッチパネルに表示したことを特徴とする。
【００１３】
また、本発明は上記構成の洗車機において、前記凹部に挿入される被読取媒体を監視して前記タッチパネル上に画像を表示するカメラを備え、前記タッチパネルの表示画面上に前記カメラの監視画像に重ねて前記読取部による読取領域を表示したことを特徴とする。
【００１４】
また、本発明は上記構成の洗車機において、前記読取部を配した前記周壁上に緩衝材を設けたことを特徴とする。
【００１５】
また、本発明は上記構成の洗車機において、前記読取部の前方に洗車条件に必要な操作部材又は報知部材を配したことを特徴とする。
【発明の効果】
【００１６】
本発明によると、ＱＲコード（登録商標）等の識別コードの被読取媒体が挿入される凹部をリモートパネルの前面に凹設し、識別コードの読取部が凹部の周壁上に配される。これにより、携帯電話機等の被読取媒体を水平に配して識別コードを読み取ることができる。このため、ユーザが誤って手を滑らせることによる被読取媒体の落下を防止することができる。また、読取部から凹部内に投光されるため、ユーザの目に光が入ることがなくユーザの煩わしさを防止することができる。更に、太陽光が被読取媒体に入り込むことを防止し、識別コードの読取不良を防止することができる。従って、洗車機の利便性を向上することができる。
【図面の簡単な説明】
【００１７】
【図１】本発明の実施形態の洗車機を示す側面図
【図２】本発明の実施形態の洗車機を示す正面図
【図３】本発明の実施形態の洗車機のリモートパネルを示す正面図
【図４】図３のＡ−Ａ断面図
【図５】本発明の実施形態の洗車機のリモートパネルの要部を示す正面図
【図６】本発明の実施形態の洗車機のリモートパネルの表示部を示す正面図
【図７】本発明の実施形態の洗車機のリモートパネルの表示部を示す正面図
【発明を実施するための形態】
【００１８】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル４０を備えている。洗車機本体１は左右の対向する２つのスタンド部９０と、スタンド部９０の上端を連結する天井部９１とを有した門型に形成される。
【００１９】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２０】
洗車機本体１には被洗浄車両ＣＡ上に摺動してブラッシングする複数の回転ブラシが設けられる。回転ブラシはそれぞれ回転モータ（不図示）によって回転するトップブラシ４、サイドブラシ５及びロッカーブラシ６から成る。トップブラシ４は被洗浄車両ＣＡの上面に沿って移動し、被洗浄車両ＣＡの上面を洗浄する。サイドブラシ５及びロッカーブラシ６は被洗浄車両ＣＡの両側面を洗浄する。ロッカーブラシ６はサイドブラシ５の下方に配され、被洗浄車両ＣＡの側面下部を洗浄する。
【００２１】
洗車機本体１の側部には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には第１、第２浄水ノズル１１、１３、第１、第２洗剤ノズル１２、１５、撥水コートノズル１４、ワックスノズル１６がそれぞれ電磁弁（不図示）を介して導出される。
【００２２】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。撥水コートノズル１４及びワックスノズル１６は洗車機本体１の後面に配される。撥水コートノズル１４は被洗浄車両ＣＡに対して撥水コート剤の液剤を噴射する。ワックスノズル１６は被洗浄車両ＣＡに対してワックスを噴射する。
【００２３】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の中央上部に設けられ、被洗浄車両ＣＡの天井面に向けて送風する。サイド送風ノズル２２は洗車機本体１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００２４】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置や洗車機本体１の走行範囲が決められる。
【００２５】
洗車機本体１の一方のスタンド部９０の前面には操作パネル７が配される。操作パネル７は洗車条件を設定する操作ボタン（不図示）を備え、被洗浄車両ＣＡから降車したユーザ等の操作により洗車の受け付けや洗車条件の設定を行う。
【００２６】
リモートパネル４０は洗車機本体１の進入経路Ｓ上に沿って配される。図３はリモートパネル４０を示す正面図である。リモートパネル４０は支柱４２及びパネル本体４１を備えている。支柱４２は進入経路Ｓに立設され、支柱４２の上端にパネル本体４１が取り付けられている。
【００２７】
パネル本体４１の前面４１ａの上部には左から返却レバー４３、コイン投入口４４、紙幣投入口４５及びカード投入口４６が設けられている。返却レバー４３はコイン投入口４４や紙幣投入口４５で投入されたコインや紙幣を返却する際に用いられる。
【００２８】
コイン投入口４４からはコインが投入され、紙幣投入口４５からは紙幣が投入される。カード投入口４６からはプリペイドカード等のカード型記録媒体が投入される。パネル本体４１の下部にはつり銭やレシートを排出する返却口４８が設けられる。
【００２９】
パネル本体４１の右部には昇降ボタン４７が設けられる。昇降ボタン４７は上から上昇ボタン４７ａと下降ボタン４７ｂとからなり、上昇ボタン４７ａを操作するとパネル本体４１が上昇する。下降ボタン４７ｂを操作すると、パネル本体４１が下降する。
【００３０】
パネル本体４１の前面４１ａの中央部には前方を開口した凹部５０が凹設される。凹部５０の奥壁５０ａ（図３参照）上には洗車の設定操作を行うタッチパネル５２が設けられる。タッチパネル５２の後部には駆動回路５２ｄが設けられている。
【００３１】
図４は図３のＡ−Ａ断面図を示している。凹部５０の奥壁５０ａは下方を前方に傾斜する傾斜面に形成される。これにより、タッチパネル５２が傾斜し、被洗浄車両ＣＡ（図１参照）から操作するユーザの視認性を向上することができる。
【００３２】
凹部５０の天井壁５０ｂに対向したアングル５５上には凹部５０内に臨む読取部５３が設けられる。読取部５３は発光部５３ａから下方に光Ｈを投光し、反射光によって識別コードＱ（図６参照）を読み取る。識別コードＱはバーコード（１次元バーコード）やＱＲコード（登録商標）（２次元バーコード）等から成り、洗車情報や割引情報等の所定情報が格納される。
【００３３】
識別コードＱは携帯電話機、タブレット端末の表示画面やレシート等に表示され、識別コードＱを表示した被読取媒体Ｋを凹部５０内に挿入して読取部５３により読み取られる。凹部５０の天井壁５０ｂの奥行ｄは約８０〜１００ｍｍに形成され、被読取媒体Ｋを凹部５０内に容易に挿入して識別コードＱを読み取ることができる。
【００３４】
また、天井壁５０ｂにはスポンジ状の環状の緩衝材５１が設けられる。これにより、天井壁５０ｂとの接触による携帯電話機等の被読取媒体Ｋの傷付きを防止することができる。
【００３５】
また、読取部５３にはカメラ５４が一体に設けられている。カメラ５４によって凹部５０内に挿入される被読取媒体Ｋを監視し、監視画像がタッチパネル５２上に表示される。尚、被読取媒体Ｋを監視するカメラ５４を読取部５３と別体に設けてもよい。
【００３６】
また、上昇ボタン４７ａは読取部５３の前方に配置される。これにより、パネル本体４１の省スペース化を図ることができる。読取部５３の前方に他のボタン、スイッチ等の操作部材や、ランプ、ブザー、液晶パネル等の報知部材を配置してもよい。
【００３７】
また、リモートパネル４０にはスピーカ及び車両検知センサ（いずれも不図示）が設けられている。スピーカからは案内音声が出力され、車両検知センサはリモートパネル４０の面前で停止した被洗浄車両ＣＡを検知する。
【００３８】
上記構成の洗車機ＷＡにおいて、被洗浄車両ＣＡはリモートパネル４０の面前で停車すると、車両検知センサ（不図示）が被洗浄車両ＣＡを検知する。そして、タッチパネル５２が点灯して洗車条件等の入力操作が行われる。この時、所定の操作を行うと読取部５３による識別コードＱの読み取りの待機状態に移行する。
【００３９】
例えば、ユーザが画面をタッチして洗車条件の入力モードになると、タッチパネル５２上に割引ボタン及び「洗車割引を利用する場合は割引ボタンを押して下さい」等のメッセージが表示される。そして、割引ボタンの操作によって識別コードＱの読み取りの待機状態に移行する。
【００４０】
図５はリモートパネル４０の要部を示している。ユーザは割引ボタンを操作すると、図５に示すような案内画像５２ａが表示される。案内画像５２ａはタッチパネル５２の周縁５２ｃ上の読取部５３に対向する読取位置５２ｄに被読取媒体Ｋを案内するように形成される。案内画像５２ａは静止画だけでなく、動画であってもよい。この時、スピーカから音声が出力されてもよい。
【００４１】
ユーザは識別コードＱが表示されている表示部Ｋ１を上にして被読取媒体Ｋを横向きに凹部５０に挿入する（図４参照）。図６、図７はこの時のタッチパネル５２を示している。タッチパネル５２に図６に示すように被読取媒体Ｋの監視画像が表示される。なお、タッチパネル５２上の一部にカメラ５４の監視画像が表示されてもよい。
【００４２】
タッチパネル５２の表示画面上には読取部５３による読取領域５２ｂが表示されている。識別コードＱが読取領域５２ｂ内に無い場合にはメッセージＭ１の案内によって読取領域５２ｂ内に移動するように促される。識別コードＱが読取領域５２ｂ内に配置されて識別コードＱを読み取ると、メッセージＭ２によって読取完了が案内される。
【００４３】
読取部５３によって識別コードＱを読み取ると、割引された洗車料金で洗車が開始される。なお、識別コードＱには洗車料金の割引以外に洗車条件の設定が格納されていてもよい。
【００４４】
洗車機本体１はリモートパネル４０により設定された洗車条件に基づいて前後方向に移動して洗浄を開始する。この時、複数の回転ブラシは被洗浄車両ＣＡ上に摺動してブラッシングして洗浄を行う。その後、洗車機本体１の進行方向を反転して乾燥が行われる。この時、ブロア２０から気流が発生して被洗浄車両ＣＡの乾燥が行われる。
【００４５】
本実施形態において、読取部５３は凹部５０の周壁上に設けられていればよく、側壁に設けてもよい。また、読取部５３がタッチパネル５２を設置する凹部５０に臨んで設置されるが、タッチパネル５２と異なる位置にパネル本体４１に凹設した凹部５０に臨んで読取部５３を配置してもよい。
【００４６】
本実施形態によると、ＱＲコード（登録商標）等の識別コードＱの被読取媒体Ｋが挿入される凹部５０をリモートパネル４０の前面４１ａに凹設し、識別コードＱの読取部５３が凹部５０の周壁上に配される。これにより、携帯電話機等の被読取媒体Ｋを水平に配して識別コードＱを読み取ることができる。このため、ユーザが誤って手を滑らせることによる被読取媒体Ｋの落下を防止することができる。また、読取部５３から凹部５０内に投光されるため、ユーザの目に光Ｈが入ることがなくユーザの煩わしさを防止することができる。更に、太陽光が被読取媒体Ｋに入り込むことを防止し、識別コードＱの読取不良を防止することができる。従って、洗車機ＷＡの利便性を向上することができる。
【００４７】
また、凹部５０の奥壁５０ａに設定操作を行うタッチパネル５２が設けられるため、タッチパネル５２により凹部５０内が照明される。これにより、読取部５３に対向して被読取媒体Ｋ上の識別コードＱを容易に配置することができる。
【００４８】
また、タッチパネル５２が下方を前方に傾斜し、読取部５３が凹部５０の天井壁５０ｂに配されるため、凹部５０の奥行を活用して読取部５３の読み取りスペースを確保することができる。従って、リモートパネル４０の省スペース化を図ることができる。
【００４９】
また、読取部５３による識別コードＱの読み取りの待機状態の時に、タッチパネル５２の周縁５２ｃ上の読取部５３に対向する読取位置５２ｄに被読取媒体Ｋを案内する案内画像５２ａを表示したため、容易に読取部５３の位置を把握することができる。
【００５０】
また、凹部５０に挿入される被読取媒体Ｋを監視してタッチパネル５２上に画像を表示するカメラ５４を備え、カメラ５４の表示画面上に読取部５３による読取領域５２ｂを表示したため、ユーザは容易に識別コードＱを読取部５３に読み取らせることができる。
【００５１】
また、読取部５３を配した天井壁５０ｂ上に緩衝材５１を設けたため、被読取媒体Ｋの損傷を防止することができる。
【００５２】
また、読取部５３の前方に上昇ボタン４７ａ等の洗車条件に必要な操作部材や報知部材を配すると、リモートパネル４０の省スペース化を図ることができる。
【産業上の利用可能性】
【００５３】
本発明によると、リモートパネルを備えた洗車機に利用することができる。
【符号の説明】
【００５４】
１    洗車機本体
２    レール
３    車輪
４    トップブラシ
５    サイドブラシ
６    ロッカーブラシ
７    操作パネル
１４    撥水コートノズル
１６    ワックスノズル
２０    ブロア
２１    トップ送風ノズル
２２    サイド送風ノズル
３０    タンク収納部
３１    分配配管部
４０    リモートパネル
４１    パネル本体
４１ａ  前面
４２    支柱
４３    返却レバー
４４    コイン投入口
４５    紙幣投入口
４６    カード投入口
４７ａ  上昇ボタン
４７ｂ  下降ボタン
４８    返却口
５０    凹部
５０ａ  奥壁
５０ｂ  天井壁
５０ｃ  開口部
５１    緩衝材
５２    タッチパネル
５２ａ  案内画像
５２ｂ  読取領域
５２ｃ  周縁
５２ｄ  読取位置
５２ｄ  駆動回路
５３    読取部
５４    カメラ
５５    アングル
９０    スタンド部
９１    天井部
ＣＡ    被洗浄車両
Ｋ      被読取媒体
Ｈ      光
Ｍ１    メッセージ
Ｍ２    メッセージ
Ｑ      識別コード
Ｓ      進入経路
ＷＡ    洗車機
【図１】
2015113009.tif 000003
【図２】
2015113009.tif 000004
【図３】
2015113009.tif 000005
【図４】
2015113009.tif 000006
【図５】
2015113009.tif 000007
【図６】
2015113009.tif 000008
【図７】
2015113009.tif 000009